【手続補正書】
【提出日】平成16年2月9日(2004.2.9)
【手続補正１】
【補正対象書類名】明細書
【補正対象項目名】全文
【補正方法】変更
【補正の内容】
【発明の名称】画像再生装置
【特許請求の範囲】
【請求項１】
複数の動画像を記憶可能な記憶手段と、前記記憶手段に記憶された前記動画像を表示部に再生させる制御手段とを備えた画像再生装置であって、
前記制御手段は、複数の前記動画像をそれぞれ特定するための複数のサムネイルを前記表示部に表示させ、前記表示部に表示された前記複数のサムネイルを外部操作に応答して選択し、選択された前記複数のサムネイルに対応する動画像の再生情報を作成し、前記再生情報を前記複数のサムネイルと共に前記表示部に表示する
ことを特徴とする画像再生装置。
【請求項２】
請求項１に記載の画像再生装置において、
前記制御手段は、前記記憶手段に前記複数の動画像が記録された順番とは無関係に前記再生情報を作成して、前記再生情報を前記記憶手段に記憶させる
ことを特徴とする画像再生装置。
【請求項３】
請求項２に記載の画像再生装置において、
前記制御手段は、前記複数のサムネイルを前記表示部の上部に、前記再生情報を前記表示部の下部にそれぞれ表示させる
ことを特徴とする画像再生装置。
【請求項４】
請求項３に記載の画像再生装置において、
前記複数の動画像は、前記記憶手段に圧縮記憶されており、
前記制御手段は、前記記憶手段に記憶された動画像を伸長して前記表示部に表示させる
ことを特徴とする画像再生装置。
【請求項５】
請求項４に記載の画像再生装置において、
前記複数のサムネイルは、前記複数の動画像の先頭画像にそれぞれ対応する
ことを特徴とする画像再生装置。
【請求項６】
請求項４に記載の画像再生装置において、
前記複数のサムネイルは、対応する前記複数の動画像のシーンから、それぞれ任意に選択される
ことを特徴とする画像再生装置。
【発明の詳細な説明】
【０００１】
【発明の属する技術分野】
本発明は、同時再生を行う画像再生装置に関し、特に、複数の動画像について、同タイミングで並行再生を開始する画像再生装置に関する。
【０００２】
【従来の技術】
一般に、２つのテープ媒体から画像を再生する画像再生装置が知られている。この画像再生装置では、一方のロータリヘッドと他方のロータリヘッドとが独立しているので、一方のロータリヘッドで記録または再生を行いながら、他方のロータリヘッドでも記録または再生を行う。
【０００３】
また、複数の動画像を再生する装置としては、現在のパーソナルコンピュータも該当する。パーソナルコンピュータは、ハードディスク等に記録される動画像ファイルに対して時分割にアクセスし、複数の動画像について同時再生を行う。
【０００４】
【発明が解決しようとする課題】
しかしながら、従来の画像再生装置では、１つの動画像を選択して再生を行い、次に、もう１つの動画像を選択して再生を行っていた。したがって、複数の動画像について同タイミングで再生を開始することができないという問題点があった。
【０００５】
このため、２つの動画像について、同タイミングで再生を開始し、その２つの画像を比較するということができなかった。例えば、ゴルフで自分のスイングを撮影した画像と見本のスイングの画像とを比較するとき、同タイミングで再生を開始しなければ、対比させてフォームをチェックするということができなかった。
そこで、本発明は、上述の問題点を解決するために、同タイミングで複数の動画像の再生を開始することができる画像再生装置を提供することを目的とする。
【０００６】
本発明の別の目的は、表示画面を効率的に利用することができる画像再生装置を提供することである。
本発明の別の目的は、同タイミング再生の操作を再度繰り返すことを省く画像再生装置を提供することである。
本発明の別の目的は、動画像をより明確に対比させて表示することができる画像再生装置を提供することである。
【０００７】
【課題を解決するための手段】
請求項１に記載の発明は、複数の動画像を記憶可能な記憶手段と、記憶手段に記憶された動画像を表示部に再生させる制御手段とを備えた画像再生装置である。本請求項の発明は、『制御手段が、複数の動画像をそれぞれ特定するための複数のサムネイルを表示部に表示させ、表示部に表示された複数のサムネイルを外部操作に応答して選択し、選択された複数のサムネイルに対応する動画像の再生情報を作成し、この再生情報を複数のサムネイルと共に表示部に表示する』ことを特徴とする。
【０００８】
請求項２に記載の発明は、請求項１に記載の画像再生装置において、『制御手段は、記憶手段に複数の動画像が記録された順番とは無関係に再生情報を作成して、この再生情報を記憶手段に記憶させる』ことを特徴とする。
【０００９】
請求項３に記載の発明は、請求項２に記載の画像再生装置において、『制御手段は、複数のサムネイルを表示部の上部に、再生情報を表示部の下部にそれぞれ表示させる』ことを特徴とする。
【００１０】
請求項４に記載の発明は、請求項３に記載の画像再生装置において、『複数の動画像は、記憶手段に圧縮記憶されており、制御手段は、記憶手段に記憶された動画像を伸長して表示部に表示させる』こと特徴とする。
【００１１】
請求項５に記載の発明は、請求項４に記載の画像再生装置において、『複数のサムネイルは、複数の動画像の先頭画像にそれぞれ対応する』ことを特徴とする。
【００１２】
請求項６に記載の発明は、請求項４に記載の画像再生装置において、『複数のサムネイルは、対応する複数の動画像のシーンから、それぞれ任意に選択される』ことを特徴とする。
【００１３】
なお、動画像には音声が付加されてもよい。このとき、動画像と一緒に音声が同タイミングで複数再生されてもよいし、動画像が再生されずに音声だけが同タイミングで複数再生されてもよい。
【００１４】
【発明の実施の形態】
以下、図面を用いて本発明の実施形態を説明する。
図１は、本発明の実施形態（全請求項に対応）の機能ブロック図である。
【００１５】
図１において、本体２１の内部には、光磁気記録媒体２２が着脱自在に装着されている。
光磁気記録媒体２２に対して読み書きするデータアクセス部２３は、データ圧縮伸張部２４を介して、フレームメモリ２５と接続される。また、フレームメモリ２５の出力は、表示画像作成部２６を介して、液晶表示部２７に入力される。一方、液晶表示部２７にはタッチパネル２８が取り付けられており、タッチパネル２８によって検出される位置情報は、タッチパネル入力部２９を介して制御部３０に入力される。
【００１６】
制御部３０の制御出力は、データ圧縮伸張部２４および表示画像作成部２６に入力され、さらに、制御部３０の出力はデータアクセス部２３と接続される。
データ圧縮伸張部２４、表示画像作成部２６、タッチパネル入力部２９および制御部３０の機能は、マイクロプロセッサ３１によって実現される。
さらに、本体２１のカメラ部３２には、撮影レンズ３３が設けられており、撮影レンズ３３を介して得られた被写体像を受光する位置に、撮像素子３４が配置されている。
【００１７】
撮像素子３４の出力信号はＡ／Ｄ変換部３５および信号処理部３６を介して、フレームメモリ２５に入力される。
【００１８】
図２、図３は、本実施形態の動作を説明する流れ図である。
図４〜図１３は、サムネイル表示画面を説明する図である。
以下、図面を用いて、本実施形態の動作について説明する。
本体２１に光磁気記録媒体２２が装着されると、データアクセス部２３は、光磁気記録媒体２２に記録される複数の動画像について、これら動画像の各先頭シーンを読み出す。表示画像作成部２６は、これら画像データを元にサムネイルを作成し、液晶表示部２７に一覧表示する（図２のステップＳ１）。
【００１９】
図４（ａ）は、液晶表示部２７に表示される初期画面を説明する図である。
液晶表示部２７の画面には、サムネイル３７が一覧表示されており、液晶表示部２７の右上には、標準サイズボタン３８、サムネイル表示ボタン３９が配置されている。その下には、サムネイル３７をスクロールするためのスクロールボタン４０が配置されている。
【００２０】
液晶表示部２７の右下には、記録再生するための操作ボタンが配置されている。左上から逆スキップボタン４１、逆送りボタン４２、早送りボタン４３、スキップボタン４４、逆再生ボタン４５、停止ボタン４６、再生ボタン４７、逆コマ送りボタン４８、ポーズボタン４９、コマ送りボタン５０、記録ボタン５１が配置されている。
【００２１】
操作ボタンの左には、選択シナリオ表示欄５２、同時モードボタン５３、選択ボタン５４、消去ボタン５５が配置されている。
これらの操作ボタンが操作されると、ボタンはハイライト表示に切り替わり、その状態を表示する。
【００２２】
なお、これらの操作ボタンはドラッグ・アンド・ドロップ操作によって、配置が変更できる。また、状況によって操作できないボタンをハーフトーン表示してもよい。
図４の（ｂ）に示すように、スクロールボタン４０がタッチされると（操作１）、表示画像作成部２６は表示画面をスクロール表示する。ここでは、光磁気記録媒体２２には、動画像Ａ〜Ｐまで記録されており、表示画像作成部２６は、これら動画像に対応するサムネイルをサムネイルＡ〜Ｐとして表示する。
【００２３】
なお、操作者が行う操作は全てタッチパネル２８を介して行うが、これは周知技術であるＧＵＩ（Graphical User Interface）などを利用している。
すなわち、液晶表示部２７には、サムネイルや操作ボタンが、オブジェクトとして表示されており、タッチパネル２８およびタッチパネル入力部２９は、これらのオブジェクトに対する操作者の接触動作を感知する。
【００２４】
制御部３０は、この接触動作に対応して、画面上のオブジェクト固有のメッセージを発生する。また、表示画像作成部２６は、そのメッセージを取得し、画面表示の変更などを行う。以下、この部分の説明は省略する。
サムネイルがタッチされると、マイクロプロセッサ３１は、そのサムネイルおよびそのサムネイルに対応する動画像が選択されたことを認識し、そのサムネイルをハイライト表示する。
【００２５】
さらに、選択された動画像には、その動画像をどのように再生するか（例えば、スロー再生、早送り再生、フェードインフェードアウト再生、表示領域の大きさ等）をデータ形式で示すシナリオファイルが付随されている。このシナリオファイルは、各動画像ファイルのヘッダ部分などに付加され、光磁気記録媒体２２に記録される。なお、このシナリオファイルは、請求項３に記載の識別情報、請求項４に記載の再生状態に対応している。
【００２６】
ここでは、図４の（ｂ）に示すように、サムネイルＦが選択され（操作２）、シナリオファイルとしてＦ１が表示されている。
ハイライト表示されているサムネイルがさらにタッチされると、マイクロプロセッサ３１はその操作を検出して、動画像のシナリオファイルを一覧表示する。マイクロプロセッサ３１は、シナリオファイルの一覧表示領域およびサムネイルにタッチ操作が行われたかを判断して、操作者がどのシナリオファイルを選択したかを認識する。
【００２７】
例えば、図５の（ｃ）に示すように、サムネイルＦがタッチされると（操作３）、マイクロプロセッサ３１は、シナリオファイルとしてＦ１からＦ４までを一覧表示する。
シナリオファイル一覧表示領域でタッチ操作が行われると（操作４）、マイクロプロセッサ３１は、＊印を順に下へ移動して表示する。タッチ操作が繰り返されると、＊印を一巡して表示する。
【００２８】
＊印がＦ３の横に表示されているときに、サムネイルＦが再びタッチされると（操作５）、マイクロプロセッサ３１は、シナリオファイルとしてＦ３が確定されたことを認識する。
さらに、選択ボタン５４に対しタッチ操作が行われると、マイクロプロセッサ３１は、確定しているシナリオファイルが選択されたことを認識し、選択シナリオ表示欄５２にそのシナリオファイルを表示する。
【００２９】
図５の（ｄ）に示すように、選択ボタン５４がタッチされると（操作６）、マイクロプロセッサ３１は、選択シナリオ表示欄５２に動画像ＦのシナリオファイルＦ３を表示する。なお、操作５が省略されて操作６が行われても、マイクロプロセッサ３１は、シナリオファイルが選択されたことを認識する。
また、選択方法としては次の方法もある。図６の（ｅ）に示すように、操作者がサムネイルＨに対して、ドラッグ操作（タッチパネル２８に触れ、そのまま動かす）を行うと、マイクロプロセッサ３１は、操作者の指に追従して、サムネイルＨを移動表示する。次に、選択シナリオ表示欄５２でドロップ操作（タッチパネル２８から指を離す）が行われると、マイクロプロセッサ３１は、シナリオファイルＨ１が選択されるたことを認識し、選択シナリオ表示欄５２にシナリオファイルＨ１を表示する。
【００３０】
なお、マイクロプロセッサ３１は、シナリオファイル一覧を、一列目のサムネイルでは、各サムネイルの左下に表示し、２列目のサムネイルでは、各サムネイルの右下に表示する。したがって、シナリオファイルの一覧表示が重なり合うことはない。
図６の（ｆ）は、Ｐ４、Ｄ１のシナリオファイルも同様に選択されたことを示す図である。
【００３１】
この状態で、消去ボタン５５がタッチされると、マイクロプロセッサ３１は、選択シナリオ表示欄５２の中で＊印が横に表示されているシナリオファイル（ここではＤ１）の選択を取り消し、図７の（ｇ）に示すように、選択シナリオ表示欄５２からそのシナリオファイルを消去する。
なお、別の消去方法として、図７の（ｈ）に示すように、操作者がシナリオファイルＤ１をドラッグ・アンド・ドロップ操作によって、選択シナリオ表示欄５２の外部へ移動させると、マイクロプロセッサ３１はそのシナリオファイルを選択シナリオ表示欄５２から消去する。
【００３２】
図８の（ｉ）は、シナリオファイルの選択操作によって、シナリオファイルＤ２が新たに選択されたことを示す図である。
シナリオファイルが複数選択された状態で、同時モードボタン５３がタッチされると（図２のステップＳ２、ステップＳ３）、図８の（ｊ）に示すように、マイクロプロセッサ３１は、選択シナリオ表示欄５２のシナリオファイルに対応するサムネイルのみを選択表示する（図２のステップＳ４）。
【００３３】
次に、再生ボタン４７がタッチされると（図２のステップＳ５）、図９の（ｋ）に示すように、マイクロプロセッサ３１は、サムネイル表示領域の大きさで、サムネイル各々に対応する動画像について同タイミングで再生を開始する。各動画像は、シナリオファイルに従って並行して再生され（図２のステップＳ６）、再生時間が短いものから順次再生が終了する。
【００３４】
この同タイミング並行再生の動作を流れ図（図３）を用いて説明する。
光磁気記録媒体２２に記録される動画像Ｆをシークし（図３のステップＳ１）、そこから動画像Ｆを読み出す（図３のステップＳ２）。画像データはデータ圧縮伸張部２４で伸張され、フレームメモリ２５に格納される（図３のステップＳ３）。
次に、動画像Ｈ、動画像Ｐ、動画像Ｄの画像データを順次読み出し、フレームメモリ２５に格納する（図３のステップＳ４、ステップＳ５、ステップＳ６）。表示画像作成部２６は、各シナリオファイルに基づいて画像データを作成し、各画像データを所定の位置に合成表示する（図３のステップＳ７）。
【００３５】
例えば、シナリオファイルＦ３が早送り再生なら、コマを落とした画像データを作成する。
以上の動作を停止ボタン４６が押されるまで繰り返す（図３のステップＳ８）。
このように、動画像を時分割で読み出し、画像を作成し、合成表示することで、同タイミング並行再生を行う。
【００３６】
次に、今行われた並行再生を記録し、その再生状態を再現するシナリオファイルの作成について説明する。
並行再生が終了した時点で、図９の（ｌ）に示すように、記録ボタン５１がタッチされると、マイクロプロセッサ３１は、今行われた再生状態を逐次データとして記録し、その再生状態を再現するようなシナリオファイルを新たに作成する。
【００３７】
マイクロプロセッサ３１は、このシナリオファイルを、データアクセス部２３を介して、光磁気記録媒体２２に記録する。ここでは、同タイミングで並行再生された動画像のファイル名、その動画像に付随しているシナリオファイル、各動画像の再生表示位置および再生表示領域等の情報が記録される。
具体的には、動画像Ｆ、Ｈ、Ｐ、Ｄが、それぞれＦ１、Ｈ１、Ｐ４、Ｄ２の各シナリオファイルに従って、サムネイル表示領域で、同タイミング並行再生するように、マイクロプロセッサ３１に指示を与えるシナリオファイルＱ１を作成する。
【００３８】
このシナリオファイルＱ１はデータアクセス部２３を介して光磁気記録媒体２２に記憶される。
また、マイクロプロセッサ３１は、図１０の（ｍ）に示すように、サムネイル表示画面の一番最後にサムネイルＱを追加表示する。このとき、サムネイルＱに使用される画像は、サムネイルＦと同じ画像を用いる。
【００３９】
以後、シナリオファイルＱ１が選択されて、再生ボタン４７が押されると、マイクロプロセッサ３１は、光磁気記録媒体２２からシナリオファイルＱ１を読み出し、そのシナリオファイルに従って再生状態を再現する。ここでは、図９の（ｋ）の状態を再現し、同タイミングで並行再生を行う。
次に、サムネイルの並べ替えについて説明する。
【００４０】
図８の（ｊ）において、選択表示されたサムネイルを並べ替えたいときは、操作者は、サムネイルを挿入したい位置にドラッグ・アンド・ドロップ操作で移動させると、サムネイル全てが並べ替わって表示される。
ここでは、図１０の（ｎ）に示すように、サムネイルＦをサムネイルＨ、サムネイルＰの間に入れて、図１１の（ｏ）に示すように、サムネイルを並べ替える。
【００４１】
このとき、マイクロプロセッサ３１は、タッチされた位置に対応するサムネイル（ここではサムネイルＦ）を選出し、操作者のドラッグ操作に追従して、サムネイルＦを移動表示し、ドロップした位置（サムネイルＨとサムネイルＰの間）にサムネイルＦを挿入して、サムネイルを並べ替えて表示する処理を行っている。
【００４２】
また、図１１の（ｐ）に示す操作で、サムネイル入れ替えてもよい。サムネイルＨおよびサムネイルＦに対して、素早く２回タッチ（マウスのダブルクリックに相当する）されると（操作７、８）、マイクロプロセッサ３１はサムネイルＨ、サムネイルＦの２つのサムネイルが入れ替えのために選択されたこと認識する。
次に、マイクロプロセッサ３１は選択された２つのサムネイルの表示位置を入れ替えて、図１２の（ｑ）に示すように表示する。
【００４３】
また、標準サイズボタン３８がタッチされると、選択されているサムネイルの表示領域が変更し、大きく表示される。その表示形式としては、例えば、図１２の（ｒ）に示すように変更される。マイクロプロセッサ３１は、標準サイズボタン３８がタッチされると、画像の表示領域を大きくして表示する。これは画素数を整数倍し、所定のブロック単位に区切り、平均化して新たな大きさの画像を作成する。
【００４４】
また、図１３の（ｓ）に示すように、並行再生時おいて、再生表示領域を最大限にしてもよい。
さらに、同タイミングで並行再生を行う動画像が２つの場合では、図１３の（ｔ）に示すように表示する。これは、マイクロプロセッサ３１には、再生される動画像の数に対応する表示領域の大きさが、予め設定されており、再生される動画像の数に応じて、表示領域を適時変更している。
【００４５】
なお、本体２１にはカメラ部３２を備えており、撮影レンズ３３を介して得られた像を撮像素子３４は光電変換し、その信号はＡ／Ｄ変換部３５でデジタル信号に変換される。
信号処理部３６は、ホワイトバランス調整、ガンマ補正、画素の補間等の信号処理を行い、フレームメモリ２５を介してデータ圧縮伸張部２４で圧縮される。圧縮データはデータアクセス部２３を介して、光磁気記録媒体２２に記録される。
【００４６】
一方、フレームメモリ２５の撮影画像データは、表示画像作成部２６を介して、液晶表示部２７でモニタ表示される。
このように、本実施形態の画像再生装置では、複数の動画像に対し同タイミングで並行再生を行うことができる。また、再生される動画像の数に応じて、表示領域を適宜変更することができる。
【００４７】
また、前回の動画像の再生状態を簡便な操作で再現することができる。
さらに、簡単な操作でサムネイルを並べ替えることができ、動画像を効果的に対比させて表示することができる。
なお、別の実施形態としては、図１４に示すように、データアクセス部２３ａ、２３ｂ、データ圧縮伸張部２４ａ、２４ｂおよびフレームメモリ２５ａ、２５ｂのように複数構成することで、複数の動画像に対して同タイミング並行再生を行ってもよい。
【００４８】
また、本実施形態では、動画像ファイルの先頭シーンについてサムネイルを自動的に作成したが、これに限定されるものではない。例えば、操作者が動画像ファイルの任意のシーンを選択し、それをサムネイル表示してもよい。
さらに、シナリオファイルは、動画像と一緒に光磁気記録媒体２２に記録されたが、それに限定されず、別の記録媒体を設けてそれに記録させてもよい。
【００４９】
なお、本実施形態では、識別情報としてファイル名を使用したが、それに限定されるものではない。動画像を特定するための情報、例えば、アドレス情報、撮影日時、識別コード、ファイルサイズなどを使用してもよい。
また、本実施形態では、操作の入力部としてタッチパネルを使用したが、それに限定されるものではない。例えば、操作ボタンを別に設けてもよいし、マウスを使用してもよい。
【００５０】
また、本実施形態では光磁気記録媒体を使用したが、それに限定されず、他の記録媒体として、磁気記録媒体、光記録媒体、半導体記録媒体などを使用してもよい。
【００５１】
【発明の効果】
本発明の画像再生装置の一形態では、簡便な操作で、かつ正確に同タイミングで複数の動画像を並行再生することができる。
【００５２】
したがって、複数の動画像を再生して比較する場合において、例えば、プレゼンテーションのときに、２つの製品を撮影した動画像を、同タイミングで再生することで、２つの製品の性能比較を明確にすることができる。
本発明の画像再生装置の別の一形態では、再生される動画像の数に応じて、その動画像の表示領域を自動的に変更する。したがって、常にその動画像が大きく表示され、操作者の視認性が向上する。言い換えれば、表示スペースを有効活用することができる。
【００５３】
本発明の画像再生装置の別の一形態では、再生情報記憶手段が同タイミングで再生された動画像の識別情報を記憶する。したがって、１度そのシーンが記憶されれば、操作者は、随意に簡便な操作でそのシーンを呼び出し再現することができる。
特に、繰り返し見る場合においては、逐一同タイミング並行再生の操作を行わないで済み、非常に有効である。
【００５４】
本発明の画像再生装置の別の一形態では、再生情報記憶手段が複数の動画像の再生状態も記憶する。したがって、操作者は簡便な操作でその再生状態を再現することができる。
本発明の画像再生装置の別の一形態では、２つのサムネイルを簡便な操作で入れ替えることができる。したがって、操作者はサムネイルを自在に配置することにより、同タイミング並行再生時に、複数の動画像を効果的に対比させて表示することができる。
【００５５】
本発明の画像再生装置の別の一形態では、サムネイルを自在に並べ替えることができる。したがって、操作者は自在にサムネイルを並べ替えることにより、複数の動画像をより明確に比較できるように再生表示することができる。
このようにして、本発明を適用した画像再生装置では、確実かつ正確に複数の動画像を同タイミングで並行して再生することができる。
【図面の簡単な説明】
【図１】本発明の実施形態の機能ブロック図である。
【図２】本発明の実施形態の動作を説明する流れ図である。
【図３】並行再生ルーチンを示す図である。
【図４】サムネイル表示画面を説明する図である。
【図５】サムネイル表示画面を説明する図である。
【図６】サムネイル表示画面を説明する図である。
【図７】サムネイル表示画面を説明する図である。
【図８】サムネイル表示画面を説明する図である。
【図９】サムネイル表示画面を説明する図である。
【図１０】サムネイル表示画面を説明する図である。
【図１１】サムネイル表示画面を説明する図である。
【図１２】サムネイル表示画面を説明する図である。
【図１３】サムネイル表示画面を説明する図である。
【図１４】別の実施形態の機能ブロック図である。
【符号の説明】
１  表示手段
２  選択手段
３  再生手段
４  配列表示手段
５  再生情報記憶手段
６  画面操作手段
２１  本体
２２  光磁気記録媒体
２３、２３ａ、２３ｂ  データアクセス部
２４、２４ａ、２４ｂ  データ圧縮伸張部
２５、２５ａ、２５ｂ  フレームメモリ
２６  表示画像作成部
２７  液晶表示部
２８  タッチパネル
２９  タッチパネル入力部
３０  制御部
３１  マイクロプロセッサ
３２  カメラ部
３３  撮影レンズ
３４  撮像素子
３５  Ａ／Ｄ変換部
３６  信号処理部


【手続補正２】
【補正対象書類名】図面
【補正対象項目名】全図
【補正方法】変更
【補正の内容】
【図１】
1998098667.tif 000001
【図２】
1998098667.tif 000002
【図３】
1998098667.tif 000003
【図４】
1998098667.tif 000004
【図５】
1998098667.tif 000005
【図６】
1998098667.tif 000006
【図７】
1998098667.tif 000007
【図８】
1998098667.tif 000008
【図９】
1998098667.tif 000009
【図１０】
1998098667.tif 000010
【図１１】
1998098667.tif 000011
【図１２】
1998098667.tif 000012
【図１３】
1998098667.tif 000013
【図１４】
1998098667.tif 000014